(57)【要約】【課題】先に提案したロータリーポンプでは、ロータが回転して、ケーシングと回転シリンダーの共通の中心点に来たとき、回転シリンダーにトルクを与えることが出来なくなり、回転が停止してしまうので、継続的にトルクが発生するロータリーポンプを提供する。【解決手段】先に提案したロータリーポンプでは、２個の回転シリンダーはケーシングの中央の遮蔽壁によって分断され、各々独立して回転するが、本発明はこの遮蔽壁をケーシングから切り離して２個の回転シリンダーとそのまま合体させ、一体化した筒状空間内で２個のロータを回転させると、一方のロータが回転シリンダーの中心点に来てトルクを失っても他方のロータが１８０度ずれた位置に来るのでトルクが発生し、回転シリンダーは停止する事なく継続的に回転しポンプ性能が発揮される。【選択図】図５
2012087772.tif 000002
【特許請求の範囲】
ケーシングの円形の縁に沿って片側半分に流体を吸入する吸込口を、反対側半分に流体を排出する吐出口を設け、このケーシングの中で回転する円形の遮蔽壁に、中央部分に筒状空間を有する円形のシリンダーを固定し、この一体化した円形の遮蔽壁とシリンダーを数個、並列に並べ筒状空間が等角度でずれるように配置して固定、一体化し、これらの筒状空間内に、ケーシングと遮蔽壁及び回転シリンダーの３体の共通の中心点から少しずらした位置に回転の中心点を持っ主軸を配置し、このずれの長さに主軸の半径を加えた長さ以上の半径を持つ円形の偏心軸を、主軸の中心点から、ずれの長さと同じ距離に主軸と繋ぎ、さらにこの偏心軸にロータを配置し、回転する遮蔽壁は、遮蔽壁の中心点から主軸の中心点までの長さに主軸の半径を加えた長さ以上の半径を持つ不回転部分と、この不回転部分の回りを回転する回転部分に円形に分離させ、回転シリンダーと同数の偏心軸とロータを等角度で主軸に繋いだロータリーポンプ。
【発明の詳細な説明】
【技術分野】
【０００１】本発明はポンプ機構において、運動体が全て円回転の機密性に優れたロータリーポンプに関するものである。
【背景技術】
【０００２】従来のポンプは、羽根車、歯車、ベーン形式の方法によって作動しているが、いずれもケーシング及びシリンダー部分と、羽根車、歯車、ベーン等回転部分との接面が小さく機密性に乏しく、性能をあげる為に高速回転、あるいはベーン、ピストン等の数を多くし構造が複雑になっている。【０００３】この問題点を解決する技術として、本発明者が提案した特許文献１のロータリーポンプがある。
【先行技術文献】
【特許文献】
【０００４】
【特許文献１】特願２００９−２６９２９１
【発明の概要】
【発明が解決しようとする課題】
【０００５】しかしながら上記の特許文献１は主軸が回転してロータがケーシングと回転シリンダーの共通の中心点に来た時に回転シリンダーがトルクを失い回転が停止してしまいポンプが作動しなくなる。本発明は継続的にトルクを発生させて停止する事なくスムーズな回転で高性能なポンプ作用が得られる様に改良したものである。
【課題を解決するための手段】
【０００６】特許文献１では２個の回転シリンダーがケーシングの中央部の遮蔽壁によって分けられ各々独立して回転するが、本改良機は遮蔽壁をケーシングから切り離し、そのまま２個のシリンダーと合体させ、一体化した回転シリンダーの９０度ずれた２ッの筒状空間内で２ロータを作動させる事により上記課題を解決するものである。【０００７】すなわち本発明は、ケーシングの円形の縁に沿って片半分に流体を吸入する吸込口を、反対側半分に流体を排出する吐出口を設け、このケーシングの中で回転する円形の遮蔽壁に、中央部分に筒状空間を有する円形のシリンダーを固定する。この一体化した円形の遮蔽壁とシリンダーを数個、並列に並べて、筒状空間が等角度でずれるように配置して互いを固定し一体化する。これらの数個の筒状空間内にケーシングと遮蔽壁と回転シリンダーの３ッの共通の中心点から少しずらした位置に回転の中心点を持つ主軸を配置し、このずれの２倍の半径を持つ円形の偏心軸を、主軸の中心点から、ずれの長さと同じ距離に主軸と繋ぎ、さらにこの偏心軸にロータを配置する。回転する遮蔽壁は中心点から主軸の中心点までの長さに主軸の半径分を加えた長さ以上の半径を持つ不回転部分と、この不回転部分の回りを回転する回転部分に円形に分離させ、回転シリンダーと同数の偏心軸とロータは回転シリンダーと同様に等角度でずらして主軸と繋ぐ事により上記課題を解決するものである。【０００８】回転シリンダーが２個の時、２個の筒状空間のずれは９０度になるが回転シリンダーを３個、４個と数を増すと筒状空間のずれは６０度、４５度と変化し、同様に偏心軸とロータのずれも１８０度から１２０度、９０度と変化し、より滑らかで強力なポンプ作用が発生する。
【発明の効果】
【０００９】主軸が回転すると、偏心軸、ロータも回転し、ロータを収納している回転シリンダーも遮蔽壁と共にケーシング内で回転する。この時ロータが筒状空間内を移動するので、この４体、すなわち、ケーシング、回転シリンダー、遮蔽壁、ロータの６面によって作られる筒状空間の容積に変化が生じポンプ作用が発生するが、この４体の接点が全て面である為に機密性に優れ、構造も簡単で高性能なポンプに成り得る。
【図面の簡単な説明】
【００１０】
【図１】特許文献１のロータリーポンプの断面図である。
【図２】特許文献１のロータリーポンプの側断面図である。
【図３】本発明のロータリーポンプの断面図である。
【図４】本発明のロータリーポンプの側断面図である。
【図５】本発明の一体化した２個の回転シリンダーと遮蔽壁の斜視図である。
【発明を実施するための形態】
【００１１】本発明の詳細な形態は、図３、図４、図５、に示す通りであるが図１、図２に示す特許文献１では、主軸（１）が回転して偏心軸（２）とロータ（３）がケーシング（５）と回転シリンダー（４）の共通の中心点（Ｃ）に来た時、回転シリンダー（４）にトルクを与える事が出来なくなり、回転が停止してしまうので、図１のケーシング（５）内に固定されている遮蔽壁（８）を図３の様に切り離し、これに、筒状空間を持つ２個の回転シリンダー（４）を図５の様に９０度ずれたままで合体させ、一体化した回転シリンダー（４）内で２個の偏心軸（２）とロータ（３）を回転させると、一方の偏心軸（２）とロータ（３）がケーシング（５）と回転シリンダー（４）の共通の中心点（Ｃ）に来た時は、他方の偏心軸（２）とロータ（３）は１８０度ずれた位置に来るので回転シリンダー（４）にトルクを与える事が出来、一体化した回転シリンダー（４）は回転が停止する事なくスムーズに回転しポンプが作動する。
【００１２】ここで切り離された遮蔽壁（８）は回転シリンダー（４）と一体となって主軸（１）の回りを回転する事になるので、ケーシング（５）と回転シリンダー（４）の共通の中心点（Ｃ）から主軸（１）の中心点（ａ）までの距離に主軸（１）の半径を加えた長さ以上て、遮蔽壁（８）の中心点（Ｃ）から円形に切り離し、回転する遮蔽壁（８）と回転しない遮蔽壁（９）に分離する必要がある。
【符号の説明】
【００１３】１  主軸
２  偏心軸
３  ロータ
４  回転シリンダー
５  ケーシング
６  吸込口
７  吐出口
８  遮蔽壁回転部分
９  遮蔽壁不回転部分
１０  主軸通穴
ａ  主軸の中心点
Ｃ  回転シリンダーとケーシングの共通の中心点
【図１】
2012087772.tif 000003
【図２】
2012087772.tif 000004
【図３】
2012087772.tif 000005
【図４】
2012087772.tif 000006
【図５】
2012087772.tif 000007